(57)【特許請求の範囲】
【請求項１】
回転駆動される水平回転部材に、水平円周上等ピッチに配置された複数の充填バルブを有するロータリ充填機の充填バルブ自動洗浄装置において、各充填バルブの内側方に設けられ水平放射方向に移動可能で２連の洗浄キヤップと一体となっていてその中間部を支持し外側方へ前進移動時に上記充填バルブのバルブ本体に備えられたピンに係合する切り欠き長孔が形成された洗浄キヤップ支持アームと、上記洗浄キヤップ支持アームの水平移動手段と、上記充填バルブの下部にそれぞれ配置され上下に昇降可能なセンタリングベルと、上記各センタリングベルを昇降する昇降手段とを具え、上記洗浄キヤップ支持アームの切り欠き長孔が上記バルブ本体に備えられたピンに係合し、上記センタリングベルが下降して上記充填バルブの洗浄が行われるとき、上記センタリングベルのシール圧と洗浄液圧に伴う洗浄キヤップ押力を、上記バルブ本体に備えられた上記ピンと上記洗浄キヤップ支持アームとで受止めることを特徴とするロータリ充填機の充填バルブ自動洗浄装置。
【請求項２】
請求項１記載のロータリ充填機の充填バルブ自動洗浄装置において、２連の洗浄キヤップと一体となっていてその中間部を支持し外側方へ前進移動時に上記充填バルブのバルブ本体に備えられたピンに係合する切り欠き長孔が形成された洗浄キヤップ支持アームの代わりに、洗浄キヤップと一体となっていて外側方へ前進移動時に上記充填バルブのバルブ本体両脇に備えられたピンにそれぞれ係合する２つの切り欠き長孔が形成された洗浄キヤップ支持アームを具えたことを特徴とするロータリ充填機の充填バルブ自動洗浄装置。
【請求項３】
請求項１又は２記載のロータリ充填機の充填バルブ自動洗浄装置において、洗浄キヤップ支持アームの移動手段が、充填機の水平回転部材に水平放射状に固定された一対の長孔ガイドレールと、移動可能に両側を上記長孔ガイドレールでガイドされる一対の両側に突出したローラ付きピンを有し下側に１個の下向きローラ付きピンを備えた洗浄キヤップ支持アームと、上記洗浄キヤップ支持アームを複数組同時に移動させるエアシリンダと、上記エアシリンダのロッド先端に設けられストローク方向と直角水平の水平アームと、上記水平アームに取付けられ上記キヤップ支持アームの下向きローラ付きピンに係合する孔又は長孔が明けてある複数の受け板とを具え、上記エアシリンダにより複数の洗浄キヤップ支持アームが同時に移動可能としたことを特徴とするロータリ充填機の充填バルブ自動洗浄装置。
【請求項４】
請求項１，２又は３記載のロータリ充填機の充填バルブ自動洗浄装置において、センタリングベル昇降手段が、上記充填バルブの上部に取付けられたエアシリンダと、上記エアシリンダのロッド先端の継手と、上記継手に固設され下端が上記センタリングベルに結合された一対の長棒とを具えたことを特徴とするロータリ充填機の充填バルブ自動洗浄装置。
【請求項５】
請求項１，２，３又は４記載のロータリ充填機の充填バルブ自動洗浄装置において、充填バルブの洗浄の際センタリングベルの上部へも洗浄水が流れ込むことを特徴としたロータリ充填機の充填バルブ自動洗浄装置。
【発明の詳細な説明】
【０００１】
【産業上の利用分野】
本発明は、飲料等を充填するロータリ充填機の充填バルブ自動洗浄装置に関する。
【０００２】
【従来の技術】
従来、ロータリ充填機の充填バルブに洗浄キヤップを装着し、上記充填バルブを洗浄する手段として、人手による作業で充填作業終了ごとに多数の充填バルブの洗浄キヤップの着脱作業を行うことは、多大の労力と時間を要し生産効率を低下させるので、洗浄キヤップを自動的に充填バルブに着脱して洗浄できるようにした種々の自動洗浄装置が提案されている。
【０００３】
その一例として、特開平５−２５４５９３号に紹介されているものの概略を説明する。
すなわち、図３(A) 側面断面図及び同図(B) 水平断面図において、各充填バルブ０１の内側方に、洗浄キヤップ０２を支持した保持アーム０３を放射方向に往復動可能に設け、ドレーンバルブ０４を備えた洗浄キヤップ０２の上周縁の内側にフック０５を、外側に旋回端子０６をそれぞれ設けるとともに、充填バルブ０１のスライドケース０７にはフック０５と係合自在の係止縁０８を設け、充填工程のキャリーカム０９によるスライドケース０７の昇降機構０１０の作用と、キャリーカム０９の前後端部に設けた洗浄キヤップ取付用トリッパー０１１と洗浄キヤップ取外用トリッパー０１２による旋回端子０６の回動作用で、フック０５と係止縁０８とを係合又は脱離せしめ、洗浄キヤップ０２をスライドケース０７に着脱して洗浄作業を行うとともに、洗浄終了後は洗浄キヤップ０２を充填バルブ０１の内側方に移送収納するように構成されている。
【０００４】
しかしながら、このような装置では、下記のような欠点がある。
(1) 洗浄時に洗浄液の内圧によりスライドケース０７に加わる下方への力が昇降機構０１０、あるいは、往復動装置０１３に負荷されるので、昇降機構０１０又は往復動装置０１３を頑丈にしなければならない。
(2) 充填機の回転角度位置において、洗浄キヤップ０２の前進、後退位置、係合、離脱の位置が限られ、充填バルブ０１を１ピッチずつ回しながら作業するので、脱着に多くの時間を要する。
(3) 洗浄キヤップ０２をスライドケース０７に係合するためには、緊密に嵌め込む必要があり、洗浄キヤップ０２とスライドケース０７間の精密な平面位置合わせが必要であり構成部品のコストが高価となる。
(4) 充填バルブ０１を洗浄する際の水圧によりスライドケース０７に大きな反力が発生するので、充填バルブ０１はスライドケース０７に強固にクランプされなければならず、その結果、クランプ治具のコストが嵩み、したがって、経済性が低下する。
【０００５】
【発明が解決しようとする課題】
本発明は、このような事情に鑑みて提案されたもので、洗浄の際に洗浄キヤップの昇降装置や往復動装置に大きな負荷が作用せず、かつ、全充填バルブに各洗浄キヤップが一斉に着脱でき、また、充填バルブのクランプ機構及び洗浄キヤップのシール機構が簡単で、したがって、軽量化，能率化及び簡素化に優れた経済的なロータリ充填機の充填バルブ自動洗浄装置を提供することを目的とする。
【０００６】
【課題を解決するための手段】
そのために、請求項１の発明は、回転駆動される水平回転部材に、水平円周上等ピッチに配置された複数の充填バルブを有するロータリ充填機の充填バルブ自動洗浄装置において、各充填バルブの内側方に設けられ水平放射方向に移動可能で２連の洗浄キヤップと一体となっていてその中間部を支持し外側方へ前進移動時に上記充填バルブのバルブ本体に備えられたピンに係合する切り欠き長孔が形成された洗浄キヤップ支持アームと、上記洗浄キヤップ支持アームの水平移動手段と、上記充填バルブの下部にそれぞれ配置され上下に昇降可能なセンタリングベルと、上記各センタリングベルを昇降する昇降手段とを具え、上記洗浄キヤップ支持アームの切り欠き長孔が上記バルブ本体に備えられたピンに係合し、上記センタリングベルが下降して上記充填バルブの洗浄が行われるとき、上記センタリングベルのシール圧と洗浄液圧に伴う洗浄キヤップ押力を、上記バルブ本体に備えられた上記ピンと上記洗浄キヤップ支持アームとで受止めることを特徴とする。
【０００７】
また、請求項２の発明は、請求項１記載のロータリ充填機の充填バルブ自動洗浄装置において、２連の洗浄キヤップと一体となっていてその中間部を支持し外側方へ前進移動時に上記充填バルブのバルブ本体に備えられたピンに係合する切り欠き長孔が形成された洗浄キヤップ支持アームの代わりに、洗浄キヤップと一体となっていて外側方へ前進移動時に上記充填バルブのバルブ本体両脇に備えられたピンにそれぞれ係合する２つの切り欠き長孔が形成された洗浄キヤップ支持アームを具えたことを特徴とする。
【０００８】
さらに、請求項３の発明は、請求項１又は２記載のロータリ充填機の充填バルブ自動洗浄装置において、洗浄キヤップ支持アームの移動手段が、充填機の水平回転部材に水平放射状に固定された一対の長孔ガイドレールと、移動可能に両側を上記長孔ガイドレールでガイドされる一対の両側に突出したローラ付きピンを有し下側に１個の下向きローラ付きピンを備えた洗浄キヤップ支持アームと、上記洗浄キヤップ支持アームを複数組同時に移動させるエアシリンダと、上記エアシリンダのロッド先端に設けられストローク方向と直角水平の水平アームと、上記水平アームに取付けられ上記キヤップ支持アームの下向きローラ付きピンに係合する孔又は長孔が明けてある複数の受け板とを具え、上記エアシリンダにより複数の洗浄キヤップ支持アームが同時に移動可能としたことを特徴とする。
【０００９】
そして、請求項４の発明は、請求項１，２又は３記載のロータリ充填機の充填バルブ自動洗浄装置において、センタリングベル昇降手段が、上記充填バルブの上部に取付けられたエアシリンダと、上記エアシリンダのロッド先端の継手と、上記継手に固設され下端が上記センタリングベルに結合された一対の長棒とを具えたことを特徴とする。
【００１０】
加えて、請求項５の発明は、請求項１，２，３又は４記載のロータリ充填機の充填バルブ自動洗浄装置において、充填バルブの洗浄の際センタリングベルの上部へも洗浄水が流れ込むことを特徴とする。
【００１１】
【作用】
充填バルブを分解せずに設置位置に置いた状態で洗浄（以下ＣＩＰ洗浄という）するときは、センタリングベルの昇降手段によりすべての充填バルブのセンタリングベルを上昇させ、洗浄キヤップ支持アームの水平移動手段により、すべての洗浄キヤップ支持アームを前進させて洗浄キヤップを充填バルブの下に移動させると、洗浄キヤップ支持アームの切り欠き長孔がバルブ本体のピンに係合するので、洗浄キヤップの中心位置が自動的にセンタリングベルの中心軸に合致する。
センタリングベルの昇降手段によりすべての充填バルブのセンタリングベルを下降させると、センタリングベルの下縁が洗浄キヤップのシールパッキンに当接して充填バルブをシールし、全充填バルブの同時洗浄が可能の状態となる。
【００１２】
この状態で洗浄が行われるとき、センタリングベルのシール圧と洗浄液圧に伴う洗浄キヤップ押力をすべてバルブ本体のピンと、洗浄キヤップ支持アームとで受止めることができるので、洗浄キヤップ支持アームの水平移動手段には、下方向への力の負荷は全くなく、この移動手段は頑丈なものにする必要はない。
充填バルブの洗浄を終了し、充填機を運転可能の状態にするには、充填バルブより洗浄液を抜き、湯又は水洗浄後の水抜きの後、上記の逆、すなわち、昇降手段によるすべての充填バルブのセンタリングベルの上昇、次に水平移動手段によるすべての洗浄キヤップ支持アームを後進させて洗浄キヤップを内側へ引き込み、その後センタリングベルの容器受け位置への下降が行われる。
【００１３】
キヤップ支持アームの移動手段が、水平放射方向に両側から長孔ガイドレールでガイドされた上記洗浄キヤップ支持アームと、これを複数組同時に移動させるエアシリンダとにより構成され、同時に複数組の洗浄キヤップ支持アームを前進後退させる機構のものは、エアシリンダの数及びこれの作動機能品を減らすことができ、充填機の回転部部材の構造を簡単化でき、複数組の洗浄キヤップ支持アームが末広がりに移動してもアームのガイドに無理な偏り力が生ずることはない。
センタリングベル昇降手段が、上記充填バルブの上部に取付けられたエアシリンダと、これのロッド先端の継手と、これに固設され下端が上記センタリングベルに結合された一対の長棒とで構成されたものは、充填バルブの側面に邪魔な突起が生ずることなく、充填バルブの間隔を広げることなく、エアシリンダを設置できる。
【００１４】
また、センタリングベルと洗浄キヤップのシールに対し、エアシリンダの作動圧力を必要最小限に調整することができる。
さらに、エアを切換えて洗浄時センタリングベルを一斉に昇降させることができる。
【００１５】
すなわち、下記の作用が行われる。
請求項１の発明によれば、各充填バルブの内側方に設けられ水平放射方向に移動可能で２連の洗浄キヤップと一体となっていてその中間部を支持し外側方へ前進移動時に上記充填バルブのバルブ本体に備えられたピンに係合する切り欠き長孔が形成された洗浄キヤップ支持アームと、上記洗浄キヤップ支持アームの水平移動手段と、上記充填バルブの下部にそれぞれ配置され上下に昇降可能なセンタリングベルと、上記各センタリングベルを昇降する昇降手段とを具え、上記洗浄キヤップ支持アームの切り欠き長孔が上記バルブ本体に備えられたピンに係合し、上記センタリングベルが下降して上記充填バルブの洗浄が行われるとき、上記センタリングベルのシール圧と洗浄液圧に伴う洗浄キヤップ押力を、上記バルブ本体に備えられた上記ピンと上記洗浄キヤップ支持アームとで受止めるので、洗浄の際に洗浄キヤップの昇降装置や往復動装置に大きな負荷が作用せず、かつ、全充填バルブに各洗浄キヤップが一斉に着脱でき、また、充填バルブのクランプ機構及び洗浄キヤップのシール機構が簡単になる。
【００１６】
請求項２の発明によれば、請求項１記載のロータリ充填機の充填バルブ自動洗浄装置において、２連の洗浄キヤップと一体となっていてその中間部を支持し外側方へ前進移動時に上記充填バルブのバルブ本体に備えられたピンに係合する切り欠き長孔が形成された洗浄キヤップ支持アームの代わりに、洗浄キヤップと一体となっていて外側方へ前進移動時に上記充填バルブのバルブ本体両脇に備えられたピンにそれぞれ係合する２つの切り欠き長孔が形成された洗浄キヤップ支持アームを設けているので、洗浄の際に洗浄キヤップの昇降装置や往復動装置に大きな負荷が作用せず、かつ、全充填バルブに各洗浄キヤップが一斉に着脱でき、また、充填バルブのクランプ機構及び洗浄キヤップのシール機構が簡単になる。
【００１７】
請求項３の発明によれば、請求項１又は２記載のロータリ充填機の充填バルブ自動洗浄装置において、洗浄キヤップ支持アームの移動手段が、充填機の水平回転部材に水平放射状に固設された一対の長孔ガイドレールと、移動可能に両側を上記長孔ガイドレールでガイドされる一対の両側に突出したローラ付きピンを有し下側に１個の下向きローラ付きピンを備えた洗浄キヤップ支持アームと、上記洗浄キヤップ支持アームを複数組同時に移動させるエアシリンダと、上記エアシリンダのロッド先端に設けられストローク方向と直角水平の水平アームと、上記水平アームに取付けられ上記キヤップ支持アームの下向きローラ付きピンに係合する孔又は長孔が明けてある複数の受け板とを具え、上記エアシリンダにより複数の洗浄キヤップ支持アームが同時に移動可能としたので、洗浄の際に洗浄キヤップの昇降装置や往復動装置に大きな負荷が作用せず、かつ、全充填バルブに各洗浄キヤップが一斉に着脱でき、また、充填バルブのクランプ機構及び洗浄キヤップのシール機構が簡単になるとともに装置の軽量化がさらに促進される。
【００１８】
請求項４の発明によれば、請求項１，２又は３記載のロータリ充填機の充填バルブ自動洗浄装置において、センタリングベル昇降手段が、上記充填バルブの上部に取付けられたエアシリンダと、上記エアシリンダのロッド先端の継手と、上記継手に固設され下端が上記センタリングベルに結合された一対の長棒とを設けているので、洗浄の際に洗浄キヤップの昇降装置や往復動装置に大きな負荷が作用せず、かつ、全充填バルブに各洗浄キヤップが一斉に着脱でき、また、充填バルブのクランプ機構及び洗浄キヤップのシール機構が簡単になるとともに装置の簡素化がさらに促進される。
【００１９】
請求項５の発明によれば、請求項１，２，３又は４記載のロータリ充填機の充填バルブ自動洗浄装置において、充填バルブの洗浄の際センタリングベルの上部へも洗浄水が流れ込むので、洗浄の際に洗浄キヤップの昇降装置や往復動装置に大きな負荷が作用せず、かつ、全充填バルブに各洗浄キヤップが一斉に着脱でき、また、充填バルブのクランプ機構及び洗浄キヤップのシール機構が簡単になるとともに装置の能率化がさらに促進される。
【００２０】
【実施例】
本発明の一実施例を図面について説明すると、まず、充填機の充填バルブを示す図１(A) 側面断面図において、充填バルブ１は、中心線Ｘ−Ｘの左側は缶２に充填液を充填している状態を、右側は充填バルブ１の内部の洗浄のためセンタリングベル３を上昇させ、洗浄キヤップ４をセンタリングベル３の下側に移動させる直前の状態をそれぞれ示している。
５はガス排気配管を兼用する充填液供給管で、充填機回転部フレーム６に固設され、バルブ本体７を固設している。
【００２１】
フレーム６に設けられた通路８は長方形断面を有する洗浄排水通路、９は同じく長方形断面を有するスニフトガス通路である。バルブ本体７の内筒に置かれている上部中空弁１０は、下部がバルブ本体７と協働して充填バルブ１を構成し、中心孔はベントチユーブとなり上部中空弁１０の空気通路、バルブ本体７の空気通路を経て、エア弁１１の一つに通じている。
また、バルブ本体７の下部のリング状溝空間には、センタリングベル３が上下摺動可能のように、かつ外筒がシールされ、内筒側は流体の通過可能な隙間を設けて嵌挿されている。
バルブ本体７の下部のリング状溝空間は、エア弁１１のスニフト弁と洗浄水弁側に通路を経てつながれている。
【００２２】
次に、図１(B) 正面図において、左右１対の充填バルブ１，１ａのどちらか（本図では充填バルブ１ａ）のバルブ本体７にピン１２が取付けられている。
１３は上部支台で、これに下部中空弁１４を押し下げて充填液弁を開閉するエアシリンダ１５が取付けてある。
上部支台１３の上側対角位置に、１対の支柱１５ａが取付けられ上部は天板１６に支えられ、これにエアシリンダ１７が取り付けられている。
また、支柱１５ａは角型継手１８を上下方向にガイドを兼用している。なお、本実施例では角型継手としているが、これにこだわるものではない。
【００２３】
エアシリンダ１７の作動ロッドは角型継手１８に結合され、この対角に取付けられている長棒１９を介してセンタリングベル３を昇降する。
角型継手１８にはカムフオロワ２０の軸２１が取付けられている。２２はカムフオロワ２０、角型継手１８及び長棒１９を介してセンタリングベル３（図１(A) ）を上昇させるカムであり、これは図示省略の昇降装置により実線の作動位置より２点鎖線で示した非作動位置（ＣＩＰ位置）に下降させることができる。
【００２４】
液充填工程においては、センタリングベル３の昇降はカム２２によって行い、エアシリンダ１７の押力はカムフオロワ２０の押しばね及びセンタリングベル３と缶２との調整可能なシール力として使用される。
【００２５】
さらに、洗浄キヤップ４の移動機構を示す、図２(A) 平面図において、充填機回転部フレーム６に、充填機の回転中心軸に対し放射方向に一対づつの長孔ガイドレール２３、２４が固設されている。
【００２６】
そして、洗浄キヤップ４の詳細を示す図２(B) 側面図及び同図(C) 平面図において、２連の洗浄キヤップ４と一体となりその中間部を支持し、左右一対の両突出しローラ付ピン２５を備え、前端に外方へ上り勾配の先端内面が形成された切り欠き長孔２６を有し、下側に１個の下向きローラ２７が付いたピン２８（図１(A) ）を備えた洗浄キヤップ支持アーム２９が、この長孔ガイドレール２３、２４により両側からピン２８及びピン２５を介してガイドされる。
洗浄キヤップ支持アーム２９は簡単な一体構造であり、十分な強度を持たせることができる。
【００２７】
充填機回転部フレーム６（図１(A) ）にエアシリンダ３０が固設され、これのロッド３１先端に左右方向の水平アーム３２（図２(A) ）が設けられ、これには受け板３３，３４及び３５（図１(A) ）がそれぞれ取付けられている。
受け板３３にはキヤップ支持アーム２９のローラ２７が付いたピン２８に係合する孔が明けられ、受け板３４，３５にはキヤップ支持アーム２９のローラ２７が付いたピン２８に係合する長孔３６が明けてある。
【００２８】
このように、１個のエアシリンダ３０で複数の洗浄キヤップ支持アーム２９（図２(A) の構成であれば６個の洗浄キヤップ４）を同時に水平放射方向に移動可能のように構成されており、多数の充填バルブを有する充填機において６分の１の個数の移動用エアシリンダ３０及び周辺装置で目的を達することができる。
【００２９】
このような装置において、まず、液充填のときの充填バルブ１の挙動の概略を説明すると、図１(A) において、缶２を充填バルブ１に受け入れるときは、センタリングベル３はカム２２によりカムフオロワ２０、角型継手１８及び長棒１９を介して押し上げられる。
エアシリンダ１７は上側を圧力側とし、カムフオロワ２０の押し力ばね及びセンタリングベル３と缶２の口との間にシール力を発生させるために使用される。缶２が充填バルブ１の直下に置かれると、カム２２のプロフイルに従ってセンタリングベル３が下降し、缶２にかぶさり、エアシリンダ１７の押力の作用で缶口の当接面をシールし、エア弁１１の１つが作動してベントが開き、充填液タンクのカウンタガスが缶２に流れ込んで缶２内をカウンタ圧とした後、エアシリンダ１５が作動して下部中空弁１４が上昇し、液バルブを開き充填が始まる。
【００３０】
液充填量は充填液供給管５の上流に置かれた図示省略の流量計とタイマーにより計測され、規定充填量に達したときタイマーの信号によりエアシリンダ１５が圧力を抜き、付勢されたばねの力で下部中空弁１４が上昇し、液バルブが閉じる。
同時に下部中空弁１４のベントに通じるエア弁１１も閉じる。
続いて、エア弁１１の１つのスニフトバルブが開いて缶２内の圧力を抜いてガスをスニフトガス通路９に排出し、缶２内の圧力が大気圧となった後、カム２２の作用でセンタリングベル３を上昇して缶２の口から離れ、缶２は排出されて図示省略のシーマへ送られ、缶蓋のシーミングが行われる。
【００３１】
充填バルブ１をＣＩＰ洗浄するときは、まずカム２２を図示省略の昇降装置により図１(A) に示した実線の作動位置より２点鎖線で示した非作動位置に下降させ、すべての充填バルブ１の上部に取付けられたエアシリンダ１７のエアの加圧を上下切り換え、エアシリンダ１７のロッドを引き上げ、ロッド先端に取付けられた角型継手１８と一対の長棒１９と下端のセンタリングベル３全部を一斉に上昇させる。
【００３２】
次に、エアシリンダ３０により水平アーム３２（図２(A) ）を作動させ、これに取付けてある受け板３３、３４及び３５により、３組の洗浄キヤップ支持アーム２９を同時に前進させて６個の洗浄キヤップ４を充填バルブ１の直下に置くと同時に、洗浄キヤップ支持アーム２９の切り欠き長孔２６をバルブ本体７のピン１２に係合させると、図２(A) の上側に示したように、洗浄キヤップ４の中心位置が自動的にセンタリングベル３の中心軸に合致するとともに、締りがよくなる。
【００３３】
さらに、エアシリンダ１７のエアの加圧を上側に切り換え、エアシリンダ１７のロッドを下降させてすべての充填バルブ１のセンタリングベル３を下降させると、これの下縁が洗浄キヤップ４のシール部３６に当接してセンタリングベル３をシールし、全充填バルブ１の同時洗浄が可能の状態となる。
この状態で洗浄が行われるとき、センタリングベル３のシール圧と洗浄液圧に伴う洗浄キヤップ４を押す圧力とをすべて、バルブ本体７のピン１２と、洗浄キヤップ支持アーム２９とで受止めることができるので、洗浄キヤップ支持アーム２９の水平移動手段を構成するピン２５、水平アーム３２、これに取付けてある受け板３３、３４及び３５、長孔ガイドレール２３、２４等への下方向の力の負荷は全くなく、これらの部品は頑丈なものにする必要はなくなる。
また、センタリングベル３と洗浄キヤップ４のシールに対し、エアシリンダ１７の作動圧力を必要最小限に調整することができる。
【００３４】
充填バルブ１の洗浄は、充填液供給管５より充填液に替えて洗浄液又は洗浄水を送り、エア弁１１を全部開とした後、エアシリンダ１５により下部中空弁１４を引き上げて液バルブを開いて洗浄液又は洗浄水を充填バルブ１のあらゆる通路に通して洗浄排水通路８及びスニフトガス通路９より排出する。
その際、洗浄水はセンタリングベル３の上部へも流れてゆくので、センタリングベル３を押し上げる洗浄水の力は洗浄キヤップ４１とセンタリングベル３が接触する部分の内部の水平方向の面積とセンタリングベル３上部の洗浄水が接触する水平方向の面積の差に等しく、小さい力でセンタリングベル３と洗浄キヤップ４とをシールすることができる。
【００３５】
充填バルブ１の洗浄を終了し、充填機を運転可能の状態にするには、充填バルブ１より洗浄液抜き、湯又は水洗浄後の水抜きの後、上記の逆、すなわち、エアシリンダ１７によりすべての充填バルブ１のセンタリングベル３を上昇させ、エアシリンダ３０によりすべての洗浄キヤップ支持アーム２９を後進させて洗浄キヤップ４を内側へ引き込み、次にエアシリンダ１７全部のエア圧を上側に切り換えてすべてのセンタリングベル３を下降させ、カム２２を上昇させて充填時の作動位置に戻し、液バルブ、エア弁１１を閉じ、充填可能の状態にする。
【００３６】
なお、本実施例では洗浄キヤップ４を２連式としたが、１つのバルブ本体７の両脇に各１本のピンを設け、洗浄キヤップ支持アーム２９及びその切り欠き長孔２６を各充填バルブ１に２つずつ設けて噛み合わせることにより、結合をしっかりさせて洗浄を行うこともできる。
【００３７】
このような、実施例の装置によれば、下記効果が奏せられる。
(1) 各充填バルブの内側方に設けられ水平放射方向に移動可能で２連の洗浄キヤップと一体となっていてその中間部を支持し外側方へ前進移動時に上記充填バルブのバルブ本体に備えられたピンに係合する切り欠き長孔が形成された洗浄キヤップ支持アームと、上記洗浄キヤップ支持アームの水平移動手段と、上記充填バルブの下部にそれぞれ配置され上下に昇降可能なセンタリングベルと、上記各センタリングベルを昇降する昇降手段とを具え、上記洗浄キヤップ支持アームの切り欠き長孔が上記バルブ本体に備えられたピンに係合し、上記センタリングベルが下降して上記充填バルブの洗浄が行われるとき、上記センタリングベルのシール圧と洗浄液圧に伴う洗浄キヤップ押力を、上記バルブ本体に備えられた上記ピンと上記洗浄キヤップ支持アームとで受止めるので、洗浄の際に洗浄キヤップの昇降装置や往復動装置に大きな負荷が作用せず、かつ、全充填バルブに各洗浄キヤップが一斉に着脱でき、また、充填バルブのクランプ機構及び洗浄キヤップのシール機構が簡単で、したがって、軽量化，能率化及び簡素化が促進される。
【００３８】
(2) 上記(1) の構成要件において、２連の洗浄キヤップと一体となっていてその中間部を支持し外側方へ前進移動時に上記充填バルブのバルブ本体に備えられたピンに係合する切り欠き長孔が形成された洗浄キヤップ支持アームの代わりに、洗浄キヤップと一体となっていて外側方へ前進移動時に上記充填バルブのバルブ本体両脇に備えられたピンにそれぞれ係合する２つの切り欠き長孔が形成された洗浄キヤップ支持アームを設けているので、洗浄の際に洗浄キヤップの昇降装置や往復動装置に大きな負荷が作用せず、かつ、全充填バルブに各洗浄キヤップが一斉に着脱でき、また、充填バルブのクランプ機構及び洗浄キヤップのシール機構が簡単で、したがって、軽量化，能率化及び簡素化が向上する。
【００３９】
(3) 上記(1) 又は(2) の構成要件において、洗浄キヤップ支持アームの移動手段が、充填機の水平回転部材に水平放射状に固設された一対の長孔ガイドレールと、移動可能に両側を上記長孔ガイドレールでガイドされる一対の両側に突出したローラ付きピンを有し下側に１個の下向きローラ付きピンを備えた洗浄キヤップ支持アームと、上記洗浄キヤップ支持アームを複数組同時に移動させるエアシリンダと、上記エアシリンダのロッド先端に設けられストローク方向と直角水平の水平アームと、上記水平アームに取付けられ上記キヤップ支持アームの下向きローラ付きピンに係合する孔又は長孔が明けてある複数の受け板とを具え、上記エアシリンダにより複数の洗浄キヤップ支持アームが同時に移動可能としたので、洗浄の際に洗浄キヤップの昇降装置や往復動装置に大きな負荷が作用せず、かつ、全充填バルブに各洗浄キヤップが一斉に着脱でき、また、充填バルブのクランプ機構及び洗浄キヤップのシール機構が簡単で、したがって、軽量化，能率化及び簡素化が向上するとともに、さらに軽量化が進み、したがって、経済性が高まる。
【００４０】
(4) 上記(1) ，(2) 又は(3) の構成要件において、センタリングベル昇降手段が、上記充填バルブの上部に取付けられたエアシリンダと、上記エアシリンダのロッド先端の継手と、上記継手に固設され下端が上記センタリングベルに結合された一対の長棒とを設けているので、洗浄の際に洗浄キヤップの昇降装置や往復動装置に大きな負荷が作用せず、かつ、全充填バルブに各洗浄キヤップが一斉に着脱でき、また、充填バルブのクランプ機構及び洗浄キヤップのシール機構が簡単で、したがって、軽量化，能率化及び簡素化が向上するとともに、さらに簡素化が進み、したがって、経済性が高まる。
【００４１】
(5) 上記(1) ，(2) ，(3) 又は(4) の構成要件において、充填バルブの洗浄の際センタリングベルの上部へも洗浄水が流れ込むようにしたので、洗浄の際に洗浄キヤップの昇降装置や往復動装置に大きな負荷が作用せず、かつ、全充填バルブに各洗浄キヤップが一斉に着脱でき、また、充填バルブのクランプ機構及び洗浄キヤップのシール機構が簡単で、したがって、軽量化，能率化及び簡素化が向上するとともに、さらに能率化が進み、したがって、経済性が高まる。
【００４２】
【発明の効果】
要するに請求項１の発明によれば、回転駆動される水平回転部材に、水平円周上等ピッチに配置された複数の充填バルブを有するロータリ充填機の充填バルブ自動洗浄装置において、各充填バルブの内側方に設けられ水平放射方向に移動可能で２連の洗浄キヤップと一体となっていてその中間部を支持し外側方へ前進移動時に上記充填バルブのバルブ本体に備えられたピンに係合する切り欠き長孔が形成された洗浄キヤップ支持アームと、上記洗浄キヤップ支持アームの水平移動手段と、上記充填バルブの下部にそれぞれ配置され上下に昇降可能なセンタリングベルと、上記各センタリングベルを昇降する昇降手段とを具え、上記洗浄キヤップ支持アームの切り欠き長孔が上記バルブ本体に備えられたピンに係合し、上記センタリングベルが下降して上記充填バルブの洗浄が行われるとき、上記センタリングベルのシール圧と洗浄液圧に伴う洗浄キヤップ押力を、上記バルブ本体に備えられた上記ピンと上記洗浄キヤップ支持アームとで受止めることにより、洗浄の際に洗浄キヤップの昇降装置や往復動装置に大きな負荷が作用せず、かつ、全充填バルブに各洗浄キヤップが一斉に着脱でき、また、充填バルブのクランプ機構及び洗浄キヤップのシール機構が簡単で、したがって、軽量化，能率化及び簡素化に優れた経済的なロータリ充填機の充填バルブ自動洗浄装置を得るから、本発明は産業上極めて有益なものである。
【００４３】
また、請求項２の発明によれば、請求項１記載のロータリ充填機の充填バルブ自動洗浄装置において、２連の洗浄キヤップと一体となっていてその中間部を支持し外側方へ前進移動時に上記充填バルブのバルブ本体に備えられたピンに係合する切り欠き長孔が形成された洗浄キヤップ支持アームの代わりに、洗浄キヤップと一体となっていて外側方へ前進移動時に上記充填バルブのバルブ本体両脇に備えられたピンにそれぞれ係合する２つの切り欠き長孔が形成された洗浄キヤップ支持アームを具えたことにより洗浄の際に洗浄キヤップの昇降装置や往復動装置に大きな負荷が作用せず、かつ、全充填バルブに各洗浄キヤップが一斉に着脱でき、また、充填バルブのクランプ機構及び洗浄キヤップのシール機構が簡単で、したがって、軽量化，能率化及び簡素化に優れた経済的なロータリ充填機の充填バルブ自動洗浄装置を得るから、本発明は産業上極めて有益なものである。
【００４４】
さらに、請求項３の発明によれば、請求項１又は２記載のロータリ充填機の充填バルブ自動洗浄装置において、洗浄キヤップ支持アームの移動手段が、充填機の水平回転部材に水平放射状に固設された一対の長孔ガイドレールと、移動可能に両側を上記長孔ガイドレールでガイドされる一対の両側に突出したローラ付きピンを有し下側に１個の下向きローラ付きピンを備えた洗浄キヤップ支持アームと、上記洗浄キヤップ支持アームを複数組同時に移動させるエアシリンダと、上記エアシリンダのロッド先端に設けられストローク方向と直角水平の水平アームと、上記水平アームに取付けられ上記キヤップ支持アームの下向きローラ付きピンに係合する孔又は長孔が明けてある複数の受け板とを具え、上記エアシリンダにより複数の洗浄キヤップ支持アームが同時に移動可能としたことにより洗浄の際に洗浄キヤップの昇降装置や往復動装置に大きな負荷が作用せず、かつ、全充填バルブに各洗浄キヤップが一斉に着脱でき、また、充填バルブのクランプ機構及び洗浄キヤップのシール機構が簡単で、したがって、軽量化，能率化及び簡素化が向上するとともに、さらに軽量化が著しい経済的なロータリ充填機の充填バルブ自動洗浄装置を得るから、本発明は産業上極めて有益なものである。
【００４５】
そして、請求項４の発明によれば、請求項１，２又は３記載のロータリ充填機の充填バルブ自動洗浄装置において、センタリングベル昇降手段が、上記充填バルブの上部に取付けられたエアシリンダと、上記エアシリンダのロッド先端の継手と、上記継手に固設され下端が上記センタリングベルに結合された一対の長棒とを具えたことにより洗浄の際に洗浄キヤップの昇降装置や往復動装置に大きな負荷が作用せず、かつ、全充填バルブに各洗浄キヤップが一斉に着脱でき、また、充填バルブのクランプ機構及び洗浄キヤップのシール機構が簡単で、したがって、軽量化，能率化及び簡素化が向上するとともに、さらに簡素化が著しい経済的なロータリ充填機の充填バルブ自動洗浄装置を得るから、本発明は産業上極めて有益なものである。
【００４６】
加えて、請求項５の発明によれば、請求項１，２，３又は４記載のロータリ充填機の充填バルブ自動洗浄装置において、充填バルブの洗浄の際センタリングベルの上部へも洗浄水が流れ込むことにより洗浄の際に洗浄キヤップの昇降装置や往復動装置に大きな負荷が作用せず、かつ、全充填バルブに各洗浄キヤップが一斉に着脱でき、また、充填バルブのクランプ機構及び洗浄キヤップのシール機構が簡単で、したがって、軽量化，能率化及び簡素化が向上するとともに、さらに能率化が著しい経済的なロータリ充填機の充填バルブ自動洗浄装置を得るから、本発明は産業上極めて有益なものである。
【図面の簡単な説明】
【図１】本発明の一実施例を示し、(A) ，(B) はそれぞれその全体的縦断面図，正面図である。
【図２】図１の洗浄キヤップ移動機構等を示し、(A) ，(B) ，(C) はそれぞれ平面図，部分拡大側面図，部分拡大平面図である。
【図３】公知のロータリ充填機の充填バルブ自動洗浄装置を示し、(A) ，(B) はそれぞれ側面断面図，部分拡大水平断面図である。
【符号の説明】
１  充填バルブ
１ａ  充填バルブ
２  缶
３  センタリングベル
４  洗浄キヤップ
５  充填液供給管
６  充填機回転部フレーム
７  バルブ本体
８  洗浄排水通路
９  スニフトガス通路
１０  上部中空弁
１１  エア弁
１２  ピン
１３  上部支台
１４  下部中空弁
１５  エアシリンダ
１５ａ  支柱
１６  天板
１７  エアシリンダ
１８  角型継手
１９  長棒
２０  カムフオロワ
２１  軸
２２  カム
２３  長孔ガイドレール
２４  長孔ガイドレール
２５  ピン
２６  切り欠き長孔
２７  ローラ
２８  ピン
２９  洗浄キヤップ支持アーム
３０  エアシリンダ
３１  ロッド
３２  水平アーム
３３  受け板
３４  受け板
３５  受け板
３６  長孔
【図１】
0003643620.tif 000002
【図２】
0003643620.tif 000003
【図３】
0003643620.tif 000004